(57)【特許請求の範囲】
【請求項１】
表示盤（４０）と、日にちの可動部（１０）および該日にちの可動部（１０）を駆動するためのステッパー駆動部材（１３）を備えた日にち機構（１）と、前記表示盤（４０）の下に配置された月の可動部（３０）であり、該月の可動部（３０）が月毎に３０°の角度を回転するように形成されたステッパー駆動手段（１２、２０）によって前記日にちの可動部（１０）に接続された月の可動部（３０）と、を備える時計であって、
前記表示盤（４０）には角度を有して等距離にある１２個の窓（４１）があり、前記月の可動部（３０）が特徴的な区域（３２）を支持しており、
前記特徴的な区域が前記１２個の窓を通過するように前記表示盤に対して前記月の可動部が配置されているとともに、前記特徴的な区域が前記月の可動部に占める角度範囲が３０°の最大値以下であり、前記日にちの可動部（１０）を前記月の可動部（３０）に接続する前記ステッパー駆動手段（１２、２０）が、歯の付いた扇形部分（１２）と、一方で３６０°の範囲にわたって延在する前記月の可動部に固定された歯車（３１）と常に係合し、他方で前記歯の付いた扇形部分（１２）と周期的に係合する中間可動部（２０）とを備える時計。
【請求項２】
前記中間可動部（２０）が、前記月の可動部（３０）の非弾性の角度ロック固定部材（５０）に固定される、請求項１に記載の時計。
【請求項３】
前記月の可動部（３０）の前記角度ロック固定部材（５０）が、前記日にちの可動部（１０）と同心であり前記日にちの可動部（１０）に固定された円形面（１５）と係合した少なくとも１つのロック固定面（５１）を含み、この面が、少なくとも前記歯の付いた扇形部分（１２）と等しくこれと一致する角度を有する部分（１６）の上に割込みを有する、請求項２に記載の時計。
【請求項４】
前記月の可動部（３０）が、内側の歯（３１）を備えるリングギアであり、前記日にちの可動部（１０）の前記歯の付いた扇形部分（１２）が、外側歯車である、請求項１から３の一項に記載の時計。
【請求項５】
前記月の可動部（３０）が、前記特徴的な区域（３２）を支持するディスク（３４）に固定されこれと同心の外側歯車（３３）を備えており、前記歯の付いた扇形部分（１２）が内側歯車である、請求項１から３の一項に記載の時計。
【請求項６】
前記ステッパー駆動手段（１２、２０）が、前記月の可動部（３０）が、前記日にちの可動部（１０）の少なくとも１つのステップで前記３０°の角度を回転するように形成される、請求項１から５の一項に記載の時計。
【請求項７】
前記ステッパー駆動手段（１２、２０）が、前記月の可動部（３０）が、前記日にちの可動部（１０）の２つ以上のいくつかののステップで前記３０°の角度を回転するように形成される、請求項１から５の一項に記載の時計。
【請求項８】
前記中間可動部（２０）が、前記月の可動部（３０）の前記外側歯車（３３）と係合する第１ピニオン（２１）と、該第１ピニオンと同心でありこれに固定されており、前記日にちの可動部（１０）の前記歯の付いた扇形部分（１２）と周期的に係合する第２ピニオン（２２）とを備える、請求項５に記載の時計。
【請求項９】
前記日にちの可動部（１０）の前記ステッパー駆動部材（１３）が瞬間的にジャンプする、請求項１から８のいずれか一項に記載の時計。
【発明の詳細な説明】
【技術分野】
【０００１】
本発明は、表示盤と、日にちの可動部およびこの可動部のステッパー駆動部材を備える日にち機構と、該表示盤の下に配置された月の可動部であって、この月の可動部が月毎に３０°の角度を回転するように形成されたステッパー駆動手段によって日にちの可動部に接続される月の可動部とを備える時計に関する。
【背景技術】
【０００２】
カレンダーが１年使用のカレンダーや万年カレンダーである場合、腕時計を調整するのに月の表示は欠かすことができない。しかしながら市場に出回る大半の１年使用カレンダーや万年カレンダーは複雑であるため、それぞれ異なる表示をする際にばらばらにジャンプが生じる危険性があり、これにより日付を読むのが不確かになる可能性がある。
【０００３】
特許文献１に例示されるように、月の表示を可能にする付加的な機構を内蔵するには通常、１つまたは複数の付加的な割出しジャンパーを設置する必要がある。一方、日にち機構のエネルギー蓄積装置は、複数のジャンパーによって生成される総トルクに打ち勝つことができるようにエネルギー量を追加して出力する必要がある。これに起因しててん輪とひげぜんまいのエネルギーが損失することにより、その振幅が減衰され、腕時計の精度を損なう恐れがある。ジャンパースプリングのトルクを下げることを目的とした解決法は示唆されていないが、その理由は、それが付随する日にちのジャンプまたは望ましくない二重のジャンプを引き起こす恐れがあるからである。
【０００４】
特許文献２には瞬時にジャンプする万年型の日にち機構が記載されており、その日にちの可動部は、重ね合わされた大きな２つの日にちディスクを備えている。第１ディスクは月の前半の１５日分の日にちに対応しており、第２ディスクには１６日から３１日までが適用される。第１ディスクの１５日と１日の間に窓が配置されることで、１６日からは第２ディスクの日にちを見ることができる。このカレンダーの作動は、これらの２つのディスクの協働および同期に依存しており、この２つのディスクは、別個の駆動用可動部と係合した各々の内側歯車によってそれぞれ回転される。
【０００５】
このディスクのプログラミングおよび駆動は、補助カムと、制御レバーと、第１ディスク上に設置され第２ディスクの幾何学形状と協働する従属式に跳ね上がるスイッチ類とによって行なわれる。月の表示は、ムーブメントの中心に配置された小さな針によって行なわれ、この針は、月を表す数字としても機能する１２個の時間を表す数字の１つを指す。月の針を支持する大歯車には割出しばねがなく、この大歯車は、ロックおよび駆動を目的とした歯車列とマルタクロスを介して、日にちを表示する可動部と直接係合される。
【０００６】
この解決法には、ほぞとマルタクロス式の接続を使用するという欠点があり、これは特に歯車列の要素の半径方向の隙間に影響されやすい。この解決法では、衝突の問題に直面する危険性がある旋回隙間の許容値を完璧に制御する必要がある。さらに歯車列システムの可動部の角度隙間は、月の針の配置に直接影響する。したがって月の針を時間を表す数字と位置合わせするのは予想以上に注意が必要であるように思われる。また衝撃を受けた場合、日にちディスクの角度の変動が針の配置に直接影響する。
【０００７】
１つの解決法は、月の針を可能な限り短くすることであるが、これは読み取り易さの点で不利になる。
【０００８】
別の欠点は、カレンダーを駆動する可動部が、日にちディスクを通常の２倍の大きさに近い角度ステップにわたって駆動させる必要があることである。これはエネルギー消費の観点から良くない結果となり、したがって腕時計の精度にも影響する。さらに期間が短い月の終わりに日付が変わるとき、瞬間的なジャンプは、第１ディスクのばねが第２の日にちディスクの周辺部の幾何学形状と協働することによって保証される。このような機構は開発するのが難しい。日にちが付随してジャンプする危険性、故にこの表示の読み取りが不確かになる可能性はおよそ無視できるものではない。
【先行技術文献】
【特許文献】
【０００９】
【特許文献１】スイス国特許第６８５５８５号
【特許文献２】スイス国特許第６９５２２７号
【特許文献３】欧州特許第１５９６２６１号
【発明の概要】
【発明が解決しようとする課題】
【００１０】
本発明の目的は、上記の欠点の少なくとも一部を改善することである。
【００１１】
したがって本発明の主題は、請求項１で特許請求される時計である。
【００１２】
請求項２から１０によって複数の実施形態が定義されている。
【００１３】
月を表示することを目的としたこのような装置は、従来式カレンダー、および特許文献３に記載されるような１年使用のカレンダーまたは万年カレンダーの双方に関連付けることができる。
【課題を解決するための手段】
【００１４】
有利には月の可動部の特徴的な区域（表示盤に形成された１２個の窓の１つに現れる）の角度範囲がこの窓の角度範囲より大きいため、この可動部にはいかなる隙間も認められなくなる。
【００１５】
本発明により、月の可動部の角度移動を数日間にわたって行なうことができる。２０°から３０°の角度の扇形にわたって延在する特徴的な区域を利用することによって、ある月から別の月への移行は瞬間的であるように見えるが、実際には月の可動部の月ごとの進行は、数日間にわたって行なわれる。この方法により、その移動に必要なエネルギーをより長期間にわたって配分することができる。これは恐らく１年使用カレンダーまたは万年カレンダーの場合に有利であり、その理由は、この機構により２つ、３つまたはさらには４つの連続する日にちのジャンプを一緒につなぐのが可能になるにちがいないためである。
【００１６】
好ましい実施形態によると、日にちの可動部と月の可動部は反対方向に回転する。その結果、これら２つの可動部の望ましくない角度移動は全て互いに相殺され、特に衝撃を受けた場合にこれらの可動部によって提示されるそれぞれの表示にシーケンスエラーが生じる可能性はない。
【００１７】
他の利点および固有の特徴は、添付の図面によって概略的かつ例として図示される本発明の１つの実施形態と、その２つの変形形態に関連する以下の記載に照らしてみることで明らかになるであろう。
【図面の簡単な説明】
【００１８】
【図１】図１はこの第１の実施形態の平面図である。
【図２】図２はこの第１の実施形態に関連する表示部の平面図である。
【図３ａ】図３ａ、図３ａ’はある月から別の月へ表示が連続して移行するのを図示する、図１および図２の部分平面図である。
【図３ｂ】図３ｂ、図３ｂ’はある月から別の月へ表示が連続して移行するのを図示する、図１および図２の部分平面図である。
【図３ｃ】図３ｃ、図３ｃ’はある月から別の月へ表示が連続して移行するのを図示する、図１および図２の部分平面図である。
【図３ｄ】図３ｄ、図３ｄ’はある月から別の月へ表示が連続して移行するのを図示する、図１および図２の部分平面図である。
【図３ｅ】図３ｅ、図３ｅ’はある月から別の月へ表示が連続して移行するのを図示する、図１および図２の部分平面図である。
【図４】図４は図１の部分図である。
【図５】図５は本発明の第１の変形形態の図１および図２と同様の平面図である。
【図６】図６は本発明の第１の変形形態の図１および図２と同様の平面図である。
【図７ａ】図７ａ、図７ａ’は本発明の第１の変形形態の図３ａ、図３ａ’のものと同様に描写した図である。
【図７ｂ】図７ｂ、図７ｂ’は本発明の第１の変形形態の図３ａ、図３ａ’のものと同様に描写した図である。
【図７ｃ】図７ｃ、図７ｃ’は本発明の第１の変形形態の図３ａ、図３ａ’のものと同様に描写した図である。
【図８ａ】図８ａ、図８ａ’は本発明の第２の変形形態の図７ａ、図７ａ’のものと同様の平面図である。
【図８ｂ】図８ｂ、図８ｂ’は本発明の第２の変形形態の図７ａ、図７ａ’のものと同様の平面図である。
【発明を実施するための形態】
【００１９】
図１は、時間の大歯車１４によって回転される時計の日にち機構１を表している。この機構は、日にちの可動部１０を備えており、これは３１個の歯を有する第１の環状歯車１１を備えた１つのリングの形態を採るのが好ましい。この歯車は、既知のタイプの瞬時にジャンプするステッパー駆動部材１３に係合され、１つのジャンパー１７のみによって角度を付けて割り出される。日にちの可動部１０は、歯の付いた扇形の部分１２によって形成される第２の歯車を備え、この歯車は、月の可動部３０と係合した中間可動部２０と噛み合うように設計されており、この月の可動部は、中間可動部２０と係合する内側の歯を備えるリングギア３１の形態を採る。
【００２０】
この月の可動部は、表示盤４０（図２）の下にあるその面上で特徴的な区域３２を支持する。この表示盤には、角度を有して等距離にある１２個の窓４１がある。特徴的な区域３２は、表示盤の色および月のリングギア３０の色と十分区別がつく色で色付けされた区域であることが好ましいが、この腕時計の色および月のリングギア３０の色と十分に区別がつく腕時計のケースの色を見せる透明な区域であってもよい。
【００２１】
特徴的な区域３２の最大範囲は、３０°相当の角度を有する扇形に制限され、その最小角度範囲は少なくとも窓４１の角度範囲以上である。
【００２２】
歯の付いた扇形部分１２が中間可動部２０と噛み合う際、この部分が中間可動部を所与の角度にわたって作動させる。日にちの可動部は、ステップ毎に１回転の１／３１に等しい角度ステップを回転するため、歯の付いた扇形部分１２の角度は、月の可動部３０が月毎に行なうジャンプの数に影響を及ぼす。歯の付いた扇形部分１２と中間可動部２０との歯車比は、月の可動部が、日にちの可動部の少なくとも１つのステップで３０°の角度を回転するように選択される。ステップの数は、窓の角度範囲によって制限され、窓が多いほど許容できるステップの数は少なくなる。
【００２３】
図３ａ−３ａ’から図３ｅ−３ｅ’は、４日間、すなわち日にちの可動部１０の４つのステップにおいて行なわれる月を変更するための月の可動部３０のシーケンスを図示している。
【００２４】
図３ａは、表示盤４０を通して透けて見える月の可動部３０の一部を示している。表示盤４０は、窓４３を介して３１日ある月の３０日、例えば１月３０日の３０を表示している。図３ａ’は、中間可動部２０が一方で日にちの可動部１０と、他方で月の可動部３０と噛み合う様子を示している。
【００２５】
日にちの可動部の歯の付いた扇形部分１２が外側歯車であり、中間可動部２０が一方でこの歯の付いた扇形部分１２と直接噛み合い、他方で月の可動部の内側歯車３１と噛み合うピニオンを構成するため、日にちの可動部と月の可動部は反対方向に回転する。記載される例では、月の可動部３０は時計回りの方向に回転し、日にちの可動部１０は反対方向に回転する。
【００２６】
１月３０日に、中間可動部２０は、日にちの可動部１０とまだ係合していないことに注目されたい。図３ａに示されるように、特徴的な区域３２は、１月の表示に対応する窓４１を塞いでいる。
【００２７】
図３ｂ、図３ｂ’は、最初に日にちがジャンプした後の１月３１日の機構を示している。日にちの可動部１０が１ステップで角度移動することで、歯の付いた扇形部分１２が中間可動部２０と係合するように配置される。この結果、月の可動部３０がわずかに回転し、その間特徴的な区域３２の後方端部は、１月の窓４１の縁部に近づくように動かされる。
【００２８】
図３ｃ、図３ｃ’は、１月３１日から２月１日への移行に対応する第２ステップの後の可動部のそれぞれの位置を示している。図３ｃ’では、中間ピニオン２０は、歯の付いた扇形部分１２の中間にある。このピニオンが第２ステップの直前には月の可動部３０の歯車３１と既に係合していることから、月の可動部３０は、日にちの可動部１０の第２ステップの間中ずっと中間可動部２０によって回転される。この結果、月の可動部３０は、図３ａ、図３ａ’および図３ｂ、図３ｂ’によって示される先のステップの期間より大きく角度移動する。図３ｃに図示されるように、第２ステップの期間より大きく角度移動することにより、特徴的な区域３２は先の窓４１から瞬時に離れ、次の窓４１に現れるのと同時にそれを塞ぐことが可能になる。
【００２９】
第３のステップの後の位置が図３ｄ、図３ｄ’に示されており、表示部は２月２日を表示している。中間ピニオン２０は、このピニオン２０が、この歯の付いた扇形部分の入り口の所にある図３ｂ’の位置とは対称的な位置で、歯の付いた扇形部分１２の出口の所にあることに留意されたい。
【００３０】
図３ｅ、図３ｅ’は、第４および最後のステップの後のこの機構の位置を図示している。中間可動部２０は、歯の付いた扇形部分１２に対して、図３ａ'に示される第１ステップの前にそれが占めていた位置と同様の位置にある。
【００３１】
図３ａから図３ｅを見ることで、記載される機構によって月の瞬時の変更を実現することが可能になり、月の可動部の回転が複数の日にちにわたって同じ数だけのステップで行なわれることに留意されたい。
【００３２】
月の可動部３０をロック固定するための非弾性の角度ロック固定部材５０が、中間ピニオン２０に固定されており、これを使用することで、中間ピニオン２０が歯の付いた扇形部分１２と係合されていないときの月の可動部３０のいかなる望ましくない回転も阻止される。
【００３３】
図４に示されるように、この角度ロック固定部材は、日にちの可動部１０と同心でありこれに固定された円形の面１５と係合する少なくとも１つのロック固定面５１を備える。このロック固定面を、少なくとも歯の付いた扇形部分１２と等しくそれと一致する角度を有する部分１６の上に割り込ませる。このようにロック固定面が割り込むことによって、角度ロック固定部材５０を非作動状態にすることが可能になり、歯の付いた扇形部分１２が中間ピニオン２０と係合する際にロック固定面５１が回転できるようにする。
【００３４】
示される例では、角度ロック固定部材５０はマルタクロス原理に従って作動し、その各側面はロック固定面５１を形成する正方形の形態を採る。
【００３５】
角度ロック固定部材５０を中間ピニオン２０と関連させることによって、１つの部材だけで月の可動部を交互に作動、割り出しおよびロック固定することが可能になる。
【００３６】
図５および図６は、月の表示装置の第１の変形形態を示しており、これは月の可動部３０の特徴的な区域３２がディスク３４の上に配置され、このディスクは、外側歯車を備えた歯の付いた可動部３３に固定されておりこれと同心である。日にちの可動部１０の歯の付いた扇形部分１２は、この可動部１０の内側縁部に配置される。中間可動部２０は、２つの同軸のピニオン２１と２２を備える。ピニオン２１は歯の付いた可動部３３と噛み合い、ピニオン２２は、日にちの可動部１０の歯の付いた扇形部分１２と周期的に係合する。
【００３７】
この第１の変形形態では、月の可動部３０の作動は、図７ａ−図７ａ’から図７ｃ−７ｃ’に示されるように日にちの可動部１０の２つのステップにわたって行われる。
【００３８】
図７ａの表示盤４０の日にちの表示は、例えば１２月３０日を示している。月の可動部３０のディスク３４によって支持される特徴的な区域３２は、表示盤４０を通して透けて見える。この時点で図７ａ’では、日にちの可動部の歯の付いた扇形部分１２が、第２ピニオン２２と係合していないことを見ることができる。
【００３９】
図７ｂおよび図７ｂ’は、可動部３３の作動の第１ステップの後の機構の位置を示している。図７ｂは、ディスク３４によって支持される特徴的な区域３２がなお、１２月の窓４１の中に見えており、日にちを表す３１が窓４３の中に見えていることを示している。図７ａと図７ｂを比べると、特徴的な区域３２は、その角度範囲のほぼ全体にわたって移動しているが、１月に対応する次の窓には侵入していないことがわかる。
【００４０】
図７ｃおよび図７ｃ’は、第２ステップの後のこの機構の位置を示しており、その間日にちの可動部１０および月の可動部３０は係合状態にある。
【００４１】
図５に示される角度ロック固定部材５０は、図４に示される原理と同様の原理で作動する。このロック固定部材は、先の実施形態の中間可動部とは異なる角度ステップによって中間可動部２０と関連付けられるため、この場合このロック固定部材はピニオン２１および２２と同心の八角形である。さらに、日にちの可動部１０の歯の付いた扇形部分１２が内側歯車であるため、円形のロック固定面１５は凹面であるが、図４ではこれは凸面である。またこのロック固定面を、歯の付いた扇形部分１２と等しくこれと一致する角度を有する部分１６の上に割り込ませる。
【００４２】
この変形形態によると、月の表示部の窓４１は、表示盤４０の中心により近づいた位置にある。一方、図１によって図示される第１の実施形態による月の表示部では、表示盤４０の中央部分から全て除去することが可能になり、この中央部分を使用して例えば時間に関する別の表示を示すことができる。
【００４３】
図８ａ−図８ａ'および図８ｂ−８ｂ’に図示される第２の変形形態は、図７ａ−７ａ’と全く同様の機構を備える。この場合、月の可動部３０の各々の角度移動は、この可動部によってその月の３１日が表示された後、日にちの可動部の１つのステップの間に行なわれる。よって様々な関与する可動部同士の歯車比は、図８ａおよび８ｂに示されるように日にちの可動部が、３１日から１日に移動する際、月の可動部が３０°回転するように構成されており、これらの図では特徴的な区域３２が現れる窓４１に対するこの区域の相対位置が、窓４３に表示される日にちに関わらず常に同じであることを見ることができる。また図８ａ’および図８ｂ’に示されるように、日にちの可動部の歯の付いた扇形部分１２は、１つの歯に縮小されている。
【００４４】
上記に記載した月を表示する機構は、瞬間的にジャンプするまたはしない簡素な一年使用のまたは万年カレンダー機構と平等に関連付けることができる。
【００４５】
この実施形態に関わらず、時計に適合された日にち機構は瞬時にジャンプするため、それが表示盤４０上に出現する際の月の変更も瞬時であり、３１日から１日まで移動する日にちの可動部のジャンプと同期している。
【００４６】
この機構のおかげで、作動機構に隙間があることにより生じる月の可動部の角度移動は、表示盤４０の窓４１には認められない。さらに本発明による機構は、ジャンパー１７の他にエネルギーの損失を生み出す付加的な割出しジャンパーが不要であり、この機構により複数の日にちのジャンプにわたって月の移行に必要なエネルギーを分配することが可能になる。
【００４７】
好ましくは特徴的な区域３２は、特定の色の円の環状の弓形部分または円の扇形部分で構成され、この色は、それが関連する支持体の色および表示盤４０の色と区別できるように選択される。この特徴的な区域の範囲は、窓４１を塞ぐには十分な範囲である。表示盤４０の中心４２に対するこの窓の角度寸法は典型的には、５°から２０°の間、好ましくはおよそ１０°である。
【符号の説明】
【００４８】
１  日にち機構
１０  日にち可動部
１１  歯車
１２  歯の付いた扇形部分、ステッパー駆動手段
１３  ステッパー駆動部材
１４  大歯車
１５  円形の面
１６  角度を有する部分
１７  ジャンパー
２０  中間可動部、中間ピニオン、ステッパー駆動手段
２１  第１ピニオン
２２  第２ピニオン
３０  月の可動部
３１  リングギア
３２  特徴的な区域
３３  可動部
３４  ディスク
４０  表示盤
４１、４３  窓
４２  表示盤の中心
５０  ロック固定部材
５１  ロック固定面
【図１】
0005918502.tif 000002
【図２】
0005918502.tif 000003
【図３ａ】
0005918502.tif 000004
【図３ｂ】
0005918502.tif 000005
【図３ｃ】
0005918502.tif 000006
【図３ｄ】
0005918502.tif 000007
【図３ｅ】
0005918502.tif 000008
【図４】
0005918502.tif 000009
【図５】
0005918502.tif 000010
【図６】
0005918502.tif 000011
【図７ａ】
0005918502.tif 000012
【図７ｂ】
0005918502.tif 000013
【図７ｃ】
0005918502.tif 000014
【図８ａ】
0005918502.tif 000015
【図８ｂ】
0005918502.tif 000016